(57)【特許請求の範囲】
【請求項１】
面材支持枠の一方の縦枠の面材嵌め溝内において、
上記面材嵌め溝内に嵌めこまれた面材の左右移動を規制すべき面材移動規制ブロックを、該面材の左右移動を許容する位置と、該面材の左右移動を規制する位置とに回転可能に軸支し、
上記規制ブロックが上記面材移動規制位置に回転したとき該規制ブロックを該面材移動規制位置に回転不能にロックすべき規制ブロック回転ストッパーを設け、
上記規制ブロックを上記面材移動許容位置に仮保持する手段を備え、
上記回転ストッパーは、上記縦枠の室外がわビード嵌め溝部の一部切欠部内に上記規制ブロックがわへ進退自在に支持されると共に、上記規制ブロックが面材移動許容位置にあるとき前進を抑止され、上記規制ブロックが面材移動規制位置にあるとき該規制ブロックをロックすべく前進可能となる位置関係にあり、
面材を嵌めこみ、上記規制ブロックを面材移動規制位置に回転した後の上記室外がわビード嵌め溝へのビード取りつけ時に、該ビードに押されて上記回転ストッパーが前進して上記規制ブロックをその位置に回転不能にロックするようにした、
カーテンウォール等における面材移動規制装置。
【請求項２】
上記回転ストッパーは弾性材からなるもので、そのストッパー本体を上記切欠部内に上記規制ブロックがわへ進退自在に位置させると共に、上記ストッパー本体から両翼に延出された両アーム板を上記ビード嵌め溝内に支持させ、
上記規制ブロックが上記面材移動許容位置にあるとき、上記ストッパー本体が上記規制ブロックに弾性的に圧接し、また面材を嵌めこみ、上記規制ブロックを面材移動規制位置に回転したとき、上記ストッパー本体が弾発して自動的に規制ブロックを回転不能にロックし、さらに上記室外がわビード嵌め溝へのビード取りつけ時に該ビードに押されて上記ストッパー本体が前進して上記規制ブロックに対するロックを確保するようにした、
請求項１に記載の面材移動規制装置。
【発明の詳細な説明】
【０００１】
【発明の属する技術分野】
本願発明は、カーテンウォール等の建物においてガラス等の面材を面材支持枠内に室外がわからのヤリコシ操作により嵌めた後の該面材の左右移動を規制する装置に関する。
【０００２】
【従来の技術】
従来、カーテンウォールにおけるガラスの左右移動規制装置として、一方の縦枠におけるヤリコシ代を設けたガラス嵌め溝において、ガラス側端面に対向する位置に、矩形基板の一側部にブロック状規制部を突設してなるガラス移動規制ブロックを、その基板においてボルトナットにより強制力で回転できるように締着し、そしてガラスをガラス嵌め溝に嵌める際は、上記規制部をガラスの左右移動コースからそれた位置（ガラス移動許容位置）に退避させ、ガラス嵌めこみ後に、ガラスと室外がわビード嵌め溝部との隙間からドライバー等を差しこんで規制ブロックを強制的に回転させて上記規制部をガラスの左右移動コース内（ガラス移動規制位置）に変位させ、それによりガラスの左右移動を規制するようにしたものが知られている。
【０００３】
しかし、上記の従来装置では、上記ガラス移動規制ブロックが、地震や暴風時に建物の受ける振動、衝撃等により回転を起し、遂には規制部がガラス移動規制位置から離脱してガラス脱落を起す危険があった。
【０００４】
【発明が解決しようとする課題】
本願請求項１の発明は、面材嵌めこみ時には規制ブロックを面材移動許容位置に保持すると共に、面材嵌めこみ後規制ブロックを面材移動規制位置に確保し、
規制ブロックを面材移動規制位置に回転させる作業を忘れずに行わせることを課題とし、
【０００５】
本願請求項２の発明は、上記請求項１の発明の課題に加え、上記回転ストッパーに弾性による規制ブロックの仮保持を兼務させると共に、規制ブロックを面材移動規制位置に回転したとき該規制ブロックを自動的にロックすることを課題とする。
【０００６】
【課題を解決するための手段】
そこで、本願請求項１の発明は、
面材支持枠の一方の縦枠の面材嵌め溝内において、
上記面材嵌め溝内に嵌めこまれた面材の左右移動を規制すべき面材移動規制ブロックを、該面材の左右移動を許容する位置と、該面材の左右移動を規制する位置とに回転可能に軸支し、
上記規制ブロックが上記面材移動規制位置に回転したとき該規制ブロックを該面材移動規制位置に回転不能にロックすべき規制ブロック回転ストッパーを設け、
上記規制ブロックを上記面材移動許容位置に仮保持する手段を備え、
上記回転ストッパーは、上記縦枠の室外がわビード嵌め溝部の一部切欠部内に上記規制ブロックがわへ進退自在に支持されると共に、上記規制ブロックが面材移動許容位置にあるとき前進を抑止され、上記規制ブロックが面材移動規制位置にあるとき該規制ブロックをロックすべく前進可能となる位置関係にあり、
面材を嵌めこみ、上記規制ブロックを面材移動規制位置に回転した後の上記室外がわビード嵌め溝へのビード取りつけ時に、該ビードに押されて上記回転ストッパーが前進して上記規制ブロックをその位置に回転不能にロックするようにした、
カーテンウォール等における面材移動規制装置を提案し、
【０００７】
本願請求項２の発明は、
上記請求項１の発明における回転ストッパーは弾性材からなるもので、そのストッパー本体を上記切欠部内に上記規制ブロックがわへ進退自在に位置させると共に、上記ストッパー本体から両翼に延出された両アーム板を上記ビード嵌め溝内に支持させ、
上記規制ブロックが上記面材移動許容位置にあるとき、上記ストッパー本体が上記規制ブロックに弾性的に圧接し、また面材を嵌めこみ、上記規制ブロックを面材移動規制位置に回転したとき、上記ストッパー本体が弾発して自動的に規制ブロックを回転不能にロックし、さらに上記室外がわビード嵌め溝へのビード取りつけ時に該ビードに押されて上記ストッパー本体が前進して上記規制ブロックに対するロックを確保するようにした、
面材移動規制装置を提案する。
【０００８】
本願請求項１の発明における上記規制ブロックを「仮保持する手段」とは、規制ブロックに適宜の強い力を強制的に加えれば回転するが、常時は規制ブロックを回転不能に保持する手段であって、それには規制ブロックを軸支する軸を軽く締着することによる保持、バネ部材を規制ブロックに圧接させる弾性的保持、フェルト、スポンジ等の摩擦材を規制ブロックに接触させる摩擦による保持、それらの併用による保持等がある。
【０００９】
また請求項１の発明における上記「規制ブロック回転ストッパー」には、面材移動規制位置に回転された規制ブロックを、縦枠の適所に外部から螺入または差しこんだネジまたはピンにより回転不能にロックする手段をはじめ、各種の手段が用いられる。
以下図面を参照して本願発明の実施例について説明する。
【００１０】
【実施例】
図１、２は、カーテンウォールのガラス支持枠に実施した例で、左右隣り合う方立（１）、（１’）の間にガラス支持枠（２）を形成し、該支持枠（２）の左右縦枠（３）、（３’）のうち一方の左縦枠（３）のヤリコシ代を有するガラス嵌め溝（４）内において、ガラス（５）の側端面に対向する底壁部（６）にガラス移動規制ブロック（７）を回転可能に軸支すると共に、室外がわビード嵌め溝部（８）に規制ブロック回転ストッパー（９）を支持させてある。（１０）は室外がわビード、（１１）は室内がわビード嵌め溝部、（１２）は室内がわビードである。
【００１１】
上記規制ブロック（７）は、特に図４に示すように比較的薄い基板（１３）上に比較的厚い規制部（１４）を凸設したもので、上記基板（１３）は、かなめ点に軸孔（１５）を有する扇形に形成され、その板上の弧状辺寄りの位置に、上記基板（１３）の弧状辺と同心円弧をなす弧状辺を有するほぼ三日月状の規制部（１４）を、その弧状辺を基板（１３）の弧状辺よりも若干外方へ張り出した状態に、凸設してある。（１６）は基板（１３）の一側部に設けた通し孔である。
【００１２】
上記のような規制ブロック（７）が、その規制部（１４）をガラス嵌め溝（４）溝口へ向け且つ室外がわビード嵌め溝部（８）の下へ通過できる位置関係で、上記軸孔（１５）に通じたネジ（１７）およびナット（１８）により上記底壁部（６）に、本例では回転可能の仮保持状態に締着してある。
【００１３】
この場合、上記規制ブロック（７）の回転によりその規制部（１４）を図３（イ）に示すように室外がわビード嵌め溝部（８）の背後に位置させたときは、該規制部（１４）がガラス（５）の左右移動コースからそれた位置（ガラス移動許容位置）に退避するが、上記規制ブロック（７）をその位置から時計方向または反時計方向へ回転させ、図２（イ）に示すように基板（１３）の直線状辺が嵌め溝（４）内の室内がわ段部（１９）に当接してそれ以上の回転を阻止されたときは、上記規制部（１４）がガラス（５）の左右移動コース内の位置（ガラス移動規制位置）をとるようにしてある。
【００１４】
上記回転ストッパー構造は次のようである。まず横断面リップつきコ字形の溝（８’）を有する上記室外がわビード嵌め溝部（８）の上記規制ブロック（７）に対応する部分を切欠（Ｐ）する。回転ストッパー（９）は、特に図５に示すように上記ビード嵌め溝部（８）の溝（８’）内に挿入可能の幅を有するステンレススチール板の中間部分を、コ字形に屈曲するストッパー本体（２０）に形成すると共に該コ字形の両端から直角に延長するアーム板（２１）、（２１）を形成したもので、本例では、さらに上記ストッパー本体（２０）のコ字形内にゴム、合成樹脂等の弾性材からなる四角柱状の充填ピース（２２）を嵌合接着してある。
【００１５】
上記のような回転ストッパー（９）の両アーム板（２１）、（２１）を上記切欠部からビード嵌め溝部（８）の溝（８’）内に該溝（８’）の深さ方向に変位自在に挿入すると共に、ストッパー本体（２０）を上記切欠（Ｐ）内に上記規制ブロック（７）がわへ進退自在に位置させてある。
【００１６】
この場合、上記両アーム板（２１）、（２１）が溝（８’）内でリップに当接しているときに、ストッパー本体（２０）が嵌め溝部（８）の背面よりも奥へ弾性的に突出する位置関係にあり、それにより上記規制ブロック（７）が図３（イ）のようにガラス移動許容位置にあるとき、上記ストッパー本体（２０）が上記規制部（１４）に前進を抑止されつつ該規制部（１４）の外面に弾性的に圧接する。なお本例では、前記規制ブロック（７）を軸支するネジ（１７）およびナット（１８）の締着と、上記ストッパー本体（２０）の圧接との併用により規制ブロック（７）の仮保持を行っている。
【００１７】
また上記規制ブロック（７）がガラス移動規制位置にあるとき、上記規制部（１４）が上記ストッパー本体（２０）との圧接を離れ、該ストッパー本体（２０）を前進可能におき、それにより上記規制ブロック（７）をガラス移動規制位置に回転したとき、上記ストッパー本体（２０）がその弾発力により規制部（１４）の端部近くに該規制部（１４）の外面より奥へ自動的に突出し、かくして規制ブロック（７）を回転不能にロックすることとなる。
【００１８】
上記ガラス支持枠（２）における他方の縦枠（３’）のガラス嵌め溝（４’）にはヤリコシ代を設けないから、適宜のブロック材をガラス嵌め溝（４’）内の底壁部（６’）に取りつけるが、一例として本例では、上記規制ブロック（７）と同一の部材をブロック材（２３）としてガラス移動規制位置に同様にネジおよびナットにより締着すると共に、通し孔（１６）からビスを螺入して回転不能に固定してある。
【００１９】
上例の作用をガラス嵌めこみ作業とともに次に説明する。図３のように規制ブロック（７）が上記ネジ（１７）、ナット（１８）の締着および上記回転ストッパー（９）の圧接により仮保持され、また室内がわビード（１２）は嵌め溝（１１）に取りつけるが、室外がわビード（１０）は取りつけていない状態で、ガラス（５）を室外がわからヤリコシ操作により左右縦枠（３）、（３’）の各ガラス嵌め溝（４）、（４’）内に嵌め、ガラスの左右位置を調整した後、該ガラス（５）と室外がわビード嵌め溝部（８）との間隙からドライバー等を差しこんで上記規制ブロック（７）を上記仮保持に抗して図２のガラス移動規制位置に回転させる。上記回転により、規制部（１４）がガラス（５）の側端面に小間隔をあけて対面することにより、ガラス（５）の危険な左右移動を阻止する体勢をとると共に、上記規制部（１４）が回転ストッパー（９）のストッパー本体（２０）との圧接から離れることにより該ストッパー本体（２０）が規制部（１４）の側端部近くに弾性的に進出し、それにより規制ブロック（７）を自動的に回転不能にロックする。
【００２０】
次に室外がわビード嵌め溝部（８）の溝（８’）に一連の室外がわビード（１０）を取りつけ、その際回転ストッパー（９）の部分においては該ストッパーのアーム板（２１）、（２１）および充填ピース（２２）を上記嵌め溝（８’）の深さ分だけさらに奥へ押しこみ、それによりストッパー本体（２０）を図２（ロ）のように上記規制部（１４）外面より十分奥へ進出させてロックを強めると共に、上記ビード（１０）により回転ストッパー（９）をロック位置に抑止する。
【００２１】
上記室外がわビード（１０）の取りつけにおいて、もし上記規制ブロック（７）をガラス移動規制位置に回転させていないときは、上記ストッパー本体（２０）が規制ブロックの規制部（１４）に背後から押されて浮上し、上記ビード（１０）の嵌め溝（８’）への取りつけを不可能にするから、上記規制ブロック（７）のガラス移動規制位置への回転作業を忘れることはない。
【００２２】
他の実施例として、上記規制ブロック（７）を自由に回転できるように軸支し、規制ブロック（７）の仮保持は回転ストッパー（９）の弾性的圧接によってのみ行うようにし、他の構造は図１〜５と実質的に同一にした例が得られる。本例によれば、図３のようにガラス移動許容位置に規制ブロック（７）を仮保持している回転ストッパー（９）をつまみ上げて圧接を解除すれば、規制ブロック（７）が自重で図２のガラス移動規制位置に回転することとなる。
【００２３】
【発明の効果】
本願請求項１の発明によれば、面材嵌めこみ作業以前に予め規制ブロックを仮保持手段によって面材移動許容位置に仮保持しておけば、面材嵌めこみの現場作業を円滑に行うことができると共に、面材嵌めこみ後面材移動規制位置に回転した規制ブロックを回転ストッパーによって回転不能にロックすることにより、振動、衝撃等による規制ブロックの回転を防止し、面材の危険な左右移動を抑制することができ、室外がわビード嵌め溝にビードを取りつける際回転ストッパーがビードに押されても前進できないときは、規制ブロックが未だ面材移動規制位置に回転されていないことを知ることになるから、規制ブロックの面材移動規制位置への回転作業を忘れることなく行わせることができる。
【００２４】
本願請求項２の発明によれば、上記請求項１の発明の効果に加え、回転ストッパーの弾性により規制ブロックの面材移動許容位置での仮保持を兼務させることができると共に、上記規制ブロックを面材移動規制位置に回転したときストッパー本体の弾発により自動的に規制ブロックを回転不能にロックすることができるのである。
【図面の簡単な説明】
【図１】カーテンウォールにおけるガラス支持枠部分の一部省略水平断面図である。
【図２】（イ）図１のＡ−Ａ線に沿う室外がわビードを除いた一部拡大断面図である。  （ロ）図２（イ）のＢ−Ｂ線断面図である。
（ハ）図２（イ）のＣ−Ｃ線断面図である。
【図３】（イ）規制ブロックをガラス移動許容位置においた状態の図２（イ）と同一切断面による一部拡大断面図である。
（ロ）図３（イ）のＤ−Ｄ線断面図である。
（ハ）図３（イ）のＥ−Ｅ線断面図である。
【図４】（イ）規制ブロックの正面図である。
（ロ）同上右側面図である。
（ハ）同上底面図である。
【図５】回転ストッパーの斜面図である。
【符号の説明】
２  ガラス支持枠
３  縦枠
４  ガラス嵌め溝
５  ガラス
７  規制ブロック
８  室外がわビード嵌め溝部
８’  ビード嵌め溝
９  回転ストッパー
１０  室外がわビード
１３  基板
１４  規制部
２０  ストッパー本体
２１  アーム板
【図１】
0003554914.tif 000002
【図２】
0003554914.tif 000003
【図３】
0003554914.tif 000004
【図４】
0003554914.tif 000005
【図５】
0003554914.tif 000006